(57)【要約】【課題】  画像信号の表示モードの判別に要する時間を短縮可能なプロジェクタ及びその表示モード判別方法を提供する。【解決手段】  複数の候補の中から１つの表示モードを暫定的に選定し、記憶部に記憶された当該表示モードの信号情報に基づいてトラッキングを設定するトラッキング設定手段と、前記トラッキング設定に基づいて前記画像信号のサンプリングを行い、当該サンプリング結果に基づいて前記画像信号が表す画像の解像度を導出する解像度導出手段と、前記各候補毎に、前記記憶部に記憶された信号情報を読み出して、前記解像度導出手段により導出された前記解像度と、前記信号情報に基づいた解像度との差を算出する誤差演算手段と、前記誤差演算手段により算出された前記差に基づいて、前記画像信号の表示モードを決定するモード決定手段とを備えたことを特徴とする。【選択図】  図３
2006234873.tif 000002
【特許請求の範囲】
【請求項１】
入力した画像信号の表示モードを判別し、判別した前記表示モードに応じて前記画像信号をサンプリングして、前記画像信号に応じた光学像を投写するプロジェクタであって、
複数の表示モード毎の信号情報が記憶された記憶部と、
前記画像信号に含まれる同期信号に基づいて、前記画像信号の表示モードを１つ或いは複数の候補に絞り込む第１のモード判別手段と、
前記第１のモード判別手段によって、複数の候補に絞り込まれた場合に、当該複数の候補の中から１つの表示モードに特定する第２のモード判別手段と、
を有し、前記第２のモード判別手段は、
前記複数の候補の中から１つの表示モードを暫定的に選定し、前記記憶部に記憶された当該表示モードの信号情報に基づいてトラッキングを設定するトラッキング設定手段と、
前記トラッキング設定に基づいて前記画像信号のサンプリングを行い、当該サンプリング結果に基づいて前記画像信号が表す画像の解像度を導出する解像度導出手段と、
前記各候補毎に、前記記憶部に記憶された信号情報に基づいた解像度と、前記解像度導出手段により導出された前記解像度との差を算出する誤差演算手段と、
前記誤差演算手段により算出された前記差に基づいて、前記画像信号の表示モードを決定するモード決定手段と、
を備えたことを特徴とするプロジェクタ。
【請求項２】
請求項１に記載のプロジェクタであって、前記誤差演算手段は、前記記憶部に信号情報として記憶されている前記各候補の解像度を、前記トラッキング設定手段が暫定的に選定した表示モードのトラッキング値に対する解像度に換算した値と、前記解像度導出手段により導出された解像度との差を算出することを特徴とするプロジェクタ。
【請求項３】
複数の表示モード毎の信号情報が記憶された記憶部を備え、前記複数の表示モードの中から、入力した画像信号の表示モードを判別し、判別された前記表示モードに応じて前記画像信号をサンプリングして、前記画像信号に応じた光学像を投写するプロジェクタの表示モード判別方法であって、
前記画像信号に含まれる同期信号に基づいて、前記画像信号の表示モードを１つ或いは複数の候補に絞り込む第１のモード判別工程と、
前記第１のモード判別工程によって、複数の候補に絞り込まれた場合に、当該複数の候補の中から１つの表示モードに特定する第２のモード判別工程と、
を有し、前記第２のモード判別工程は、
前記複数の候補の中から１つの表示モードを暫定的に選定し、前記記憶部に記憶された当該表示モードの信号情報に基づいてトラッキングを設定するトラッキング設定工程と、
前記トラッキング設定に基づいて前記画像信号のサンプリングを行い、当該サンプリング結果に基づいて前記画像信号が表す画像の解像度を導出する解像度導出工程と、
前記各候補毎に、前記記憶部に記憶された信号情報を読み出して、前記解像度導出工程により導出された前記解像度と、前記信号情報に基づいた解像度との差を算出する誤差演算工程と、
前記誤差演算手段により算出された前記差に基づいて、前記画像信号の表示モードを決定するモード決定工程と、
を備えたことを特徴とする表示モード判別方法。
【発明の詳細な説明】
【技術分野】
【０００１】
本発明は、画像信号を入力し、当該画像信号に応じた光学像を投写するプロジェクタ及びその表示モード判別方法に関する。
【背景技術】
【０００２】
画像信号を入力し、当該画像信号に応じた光学像を投写して、スクリーン等に画像を表示するプロジェクタは、多種多様な表示モードの画像信号に応じて適切な画像を表示するために、入力した画像信号から当該画像信号の表示モードを判別可能になっている（例えば、特許文献１）。
【０００３】
図１は、従来のプロジェクタの概略構成を示すブロック図であり、図２は、プロジェクタが記憶するモードテーブルを示す説明図である。
【０００４】
図１に示すように、プロジェクタ１は、外部の画像供給装置ＰＣから画像信号を入力し、当該画像信号に応じた光学像をスクリーンＳＣに投写可能になっており、制御部１０と、記憶部１１と、ＰＬＬ（Phase Locked Loop）回路１２と、画像処理部１３と、画像メモリ１４と、画像投写部１５とを備えている。制御部１０は、前記各部１１〜１３に接続されており、記憶部１１に記憶されている制御プログラムに従って、プロジェクタ１の動作を統括制御する。なお、プロジェクタ１に入力される画像信号には、画像情報を表す信号（例えば、ＲＧＢ信号）とともに、当該信号の走査タイミングを規定する水平同期信号Ｈｓｙｎｃ、及び垂直同期信号Ｖｓｙｎｃが含まれており、制御部１０は、これら水平同期信号Ｈｓｙｎｃ及び垂直同期信号Ｖｓｙｎｃ等を参照して、画像信号の表示モードを判別可能になっている。
【０００５】
記憶部１１は、フラッシュＲＯＭ（Read Only Memory）等のメモリによって構成され、前記制御プログラムを記憶するとともに、各種設定値等の記憶に用いられる。また、記憶部１１には、図２に示すようなモードテーブル１１ａが記憶されている。モードテーブル１１ａには、プロジェクタ１が対応可能な各種表示モードに関する信号情報が記憶されている。信号情報としては、例えば、水平周波数（水平同期信号Ｈｓｙｎｃの周波数）、水平解像度、垂直解像度、トラッキング値（１水平走査期間内のクロック数）、垂直ライン数（１垂直走査期間内の水平走査ライン数）等が含まれる。制御部１０は、特定した表示モードの信号情報を記憶部１１から読み出して、この信号情報に基づいてＰＬＬ回路１２及び画像処理部１３を制御する。
【０００６】
ＰＬＬ回路１２は、画像信号（ＲＧＢ信号）のサンプリングを行うためのクロック信号を生成して画像処理部１３に出力する。具体的には、ＰＬＬ回路１２は、画像供給装置ＰＣからの画像信号に含まれる水平同期信号Ｈｓｙｎｃを入力するとともに、特定された表示モードのトラッキング値に応じた制御信号を制御部１０から入力し、１水平走査期間に前記トラッキング値に応じた数のクロックを発するクロック信号を、水平同期信号Ｈｓｙｎｃに同期させて出力する。
【０００７】
画像処理部１３は、画像供給装置ＰＣから画像信号（ＲＧＢ信号）を入力し、ＰＬＬ回路１２からのクロック信号に基づいてサンプリングすることにより画像データを生成する。さらに、画像処理部１３は、生成した画像データを画像メモリ１４に一時記憶するとともに、各種画像処理を施して画像投写部１５に出力する。
【０００８】
画像投写部１５は、光源、光変調装置、投写レンズ（いずれも図示せず）等からなっており、光源から射出した光は、サンプリングされた画像データに応じて光変調装置で変調され、投写レンズからスクリーンＳＣ等に投写される。これにより、スクリーンＳＣ上に画像信号に応じた画像が表示される。
【０００９】
次に、従来のプロジェクタにおける表示モードの判別手順を、図面を参照して説明する。図４は、画像信号の表示モードを判別する際の動作を説明するフローチャートである。プロジェクタ１は、画像信号が入力されると、当該フローに基づいて画像信号の表示モードを判別する。
【００１０】
図４に示すように、ステップＳ３１０では、第１のモード判別を行う。具体的には、制御部１０は、入力信号に含まれる水平同期信号Ｈｓｙｎｃ及び垂直同期信号Ｖｓｙｎｃに基づいて、画像信号の水平周波数、垂直ライン数、各同期信号の極性等を検出する。制御部１０は、記憶部１１に記憶されているモードテーブル１１ａ（図２参照）を参照して、前記検出結果と一致又は近似する信号情報を有する表示モードを選定する。多くの表示モードは、当該第１のモード判別によって唯一に特定されるが、一部の表示モードの場合には、複数の表示モードが候補として残り、さらなる判別処理（第２のモード判別）を行って１つに特定する必要がある。例えば、図２のモードテーブル１１ａに示した表示モードのうち、ＭＡＣ＿１２ｃとＭＡＣ＿１２ｃｅとは、水平周波数、垂直ライン数、各同期信号の極性（極性については図示せず）等が同一であるため、第１のモード判別のみではいずれか一方に特定できない。
【００１１】
このため、ステップＳ３２０では、第２のモード判別を要するか否かを判断する。既にステップＳ３１０（第１のモード判別）で表示モードが１つに特定され、さらなる判別の必要がなければ処理を終了し、複数の候補が存在し第２のモード判別を要する場合には、ステップＳ３３０に移行する。
【００１２】
ステップＳ３３０では、制御部１０は、複数の候補の中から暫定的に１つの表示モードを選定し、モードテーブル１１ａから当該表示モードのトラッキング値を読み出して、ＰＬＬ回路１２に設定する。これにより、ＰＬＬ回路１２は、設定されたトラッキング値に応じたクロック信号を画像処理部１３に出力する。
【００１３】
制御部１０は、ステップＳ３４０にて、ＰＬＬ回路１２が安定するまで所定時間（例えば、１００ｍｓ）待機した後、ステップＳ３５０にて、ＰＬＬ回路１２がロックしているか否かを判断する。ＰＬＬ回路１２がロックしていればステップＳ３６０に移行し、ロックしていなければステップＳ３７０に移行して、当該画像信号は対応不能であると判断して処理を終了する。
【００１４】
ステップＳ３６０に移行した場合には、制御部１０は、画像信号が表す画像の解像度を導出する。具体的には、画像処理部１３がトラッキング設定された周期で画像信号をサンプリングするとともに、サンプリングした画像データに基づいて、画像情報が含まれない期間であるＨＢＩ（Horizontal Blanking Interval：水平帰線消去期間）を検出し、制御部１０に出力する。制御部１０は、ステップＳ３１０（第１のモード判別）で検出した水平周波数と当該ＨＢＩとから水平方向の解像度を算出する。
【００１５】
ステップＳ３８０では、制御部１０は、暫定的に選定した表示モードの水平解像度をモードテーブル１１ａから読み出して、前記ステップＳ３６０で導出した解像度との差を導く。
【００１６】
ステップＳ３９０では、全ての候補について前記ステップＳ３３０〜Ｓ３８０を実施したか否かを判断する。未実施の候補が残っていればステップＳ３３０に戻って、残る候補の中から１つの候補を選定して上記フローを繰り返し、すべての候補について上記処理（トラッキング設定〜差の算出）が完了していればステップＳ４００に移行する。
【００１７】
ステップＳ４００では、各候補について前記ステップＳ３６０で導出した解像度とモードテーブル１１ａ上の解像度との差が最も小さいものを、当該画像信号の表示モードであると決定して、モード判別処理を終了する。
【００１８】
ここで、上記フローに従ったモード判別動作を、表示モードがＭＡＣ＿１２ｃｅである画像信号が入力された場合を例に説明する。
【００１９】
まず、ステップＳ３１０にて、第１のモード判別を行った結果、当該画像信号の表示モードがＭＡＣ＿１２ｃ又はＭＡＣ＿１２ｃｅのいずれかであることが判別される。ステップＳ３２０では、表示モードの候補として複数（２つ）存在しているため、ステップＳ３３０に移行する。
【００２０】
ステップＳ３３０では、候補の表示モードのいずれか一方（ここでは、ＭＡＣ＿１２ｃとする。）を暫定的にＭＡＣ＿１２ｃを選定してトラッキング設定を行う。モードテーブル１１ａによるとＭＡＣ＿１２ｃのトラッキング値は６４０であるため、ＰＬＬ回路１２によって１水平走査期間に６４０のクロックを発するクロック信号を生成する。その後、ステップＳ３４０で１００ｍｓ待機してＰＬＬ回路１２が安定した後、ステップＳ３５０にてＰＬＬ回路１２がロックしていれば、ステップＳ３６０に移行する。
【００２１】
ステップＳ３６０では、トラッキング値を６４０として画像信号のサンプリングを行ってＨＢＩ（具体的には、ＨＢＩ内のクロック数）を検出した後に、水平解像度を算出する。実際の表示モードであるＭＡＣ＿１２ｃｅは、トラッキング値が７０４で、水平解像度が５６０であり、１水平走査期間に占めるＨＢＩの割合は、（７０４−５６０）／７０４であるため、この画像信号を、設定したトラッキング値６４０でサンプリングすると、ＨＢＩとして、おおよそ６４０×（７０４−５６０）／７０４≒１３１のクロックが検出される。制御部１０は、トラッキング値（６４０）とＨＢＩ（クロック数：１３１）とから、水平解像度として６４０−１３１＝５０９を算出する。
【００２２】
ステップＳ３８０では、導出した水平解像度（５０９）と、暫定的に選出したＭＡＣ＿１２ｃのモードテーブル１１ａ上の水平解像度（５１２）とから、その差（３）を算出する。
【００２３】
ステップＳ３９０では、他の候補（ＭＡＣ＿１２ｃｅ）での解像度導出が未実施であるため、ステップＳ３３０に戻り、ステップＳ３３０では、暫定的にＭＡＣ＿１２ｃｅを選定してトラッキング設定を行う。モードテーブルによるとＭＡＣ＿１２ｃｅのトラッキング値は７０４であるため、ＰＬＬ回路１２によって１水平走査期間に７０４のクロックを発するクロック信号を生成する。その後、ステップＳ３４０で１００ｍｓ待機してＰＬＬ回路１２が安定した後、ステップＳ３５０にてＰＬＬ回路１２がロックしていれば、ステップＳ３６０に移行する。
【００２４】
ステップＳ３６０において、設定したトラッキング値７０４で画像信号をサンプリングすると、ＨＢＩとして、おおよそ７０４−５６０＝１４４のクロックが検出される。制御部１０は、トラッキング値（７０４）とＨＢＩ（クロック数：１４４）とから、水平解像度として７０４−１４４＝５６０を算出する。
【００２５】
ステップＳ３８０では、導出した水平解像度（５６０）と、ＭＡＣ＿１２ｃｅのモードテーブル１１ａ上の水平解像度（５６０）とから、その差（０）を算出する。
【００２６】
ステップＳ３９０では、すべての候補での解像度の導出が完了したため、ステップＳ４００に移行し、ステップＳ４００では、前記ステップＳ３８０で算出した２つの差（３及び０）を比較し、差が最も小さい値（０）となる表示モード（ＭＡＣ＿１２ｃｅ）を当該画像信号の表示モードとして決定する。以上により、第１のモード判別のみでは特定が困難な表示モードの判別が可能となっている。
【００２７】
【特許文献１】ＷＯ９８／２０４７６号公報
【発明の開示】
【発明が解決しようとする課題】
【００２８】
しかしながら、上記フローに従ったモード判別では、待機時間（例えば、１００ｍｓ）を含む動作（ステップＳ３３０〜Ｓ３８０）を、候補の数だけ繰り返す必要があるため、判別処理に時間がかかってしまうという問題を有していた。
【００２９】
本発明は上記問題を鑑みてなされたものであり、その目的は、画像信号の表示モードの判別に要する時間を短縮可能なプロジェクタ及びその表示モード判別方法を提供することにある。
【課題を解決するための手段】
【００３０】
本発明のプロジェクタは、入力した画像信号の表示モードを判別し、判別した前記表示モードに応じて前記画像信号をサンプリングして、前記画像信号に応じた光学像を投写するプロジェクタであって、複数の表示モード毎の信号情報が記憶された記憶部と、前記画像信号に含まれる同期信号に基づいて、前記画像信号の表示モードを１つ或いは複数の候補に絞り込む第１のモード判別手段と、前記第１のモード判別手段によって、複数の候補に絞り込まれた場合に、当該複数の候補の中から１つの表示モードに特定する第２のモード判別手段とを有し、前記第２のモード判別手段は、前記複数の候補の中から１つの表示モードを暫定的に選定し、前記記憶部に記憶された当該表示モードの信号情報に基づいてトラッキングを設定するトラッキング設定手段と、前記トラッキング設定に基づいて前記画像信号のサンプリングを行い、当該サンプリング結果に基づいて前記画像信号が表す画像の解像度を導出する解像度導出手段と、前記各候補毎に、前記記憶部に記憶された信号情報に基づいた解像度と、前記解像度導出手段により導出された前記解像度との差を算出する誤差演算手段と、前記誤差演算手段により算出された前記差に基づいて、前記画像信号の表示モードを決定するモード決定手段とを備えたことを特徴とする。
【００３１】
このプロジェクタによれば、暫定的に選定した表示モードの信号情報に基づいてトラッキング設定を行い、当該トラッキング設定で画像信号をサンプリングして画像の解像度を導出し、当該解像度と、記憶部に記憶された各候補の信号情報に基づいた解像度との差に基づいて表示モードを決定している。つまり、１回のトラッキング設定で導出した解像度を、複数の候補の解像度と比較することにより表示モードを決定しているため、複数の表示モードでトラッキング設定を行う場合に比べて、トラッキング設定及びこれに伴う時間待機の回数を低減することが可能となる。この結果、モード判別に要する時間を短縮することが可能となる。
【００３２】
なお、このプロジェクタにおいて、前記誤差演算手段は、前記記憶部に信号情報として記憶されている前記各候補の解像度を、前記トラッキング設定手段が暫定的に選定した表示モードのトラッキング値に対する解像度に換算した値と、前記解像度導出手段により導出された解像度との差を算出することが望ましい。
【００３３】
本発明の表示モード判別方法は、複数の表示モード毎の信号情報が記憶された記憶部を備え、前記複数の表示モードの中から、入力した画像信号の表示モードを判別し、判別された前記表示モードに応じて前記画像信号をサンプリングして、前記画像信号に応じた光学像を投写するプロジェクタの表示モード判別方法であって、前記画像信号に含まれる同期信号に基づいて、前記画像信号の表示モードを１つ或いは複数の候補に絞り込む第１のモード判別工程と、前記第１のモード判別工程によって、複数の候補に絞り込まれた場合に、当該複数の候補の中から１つの表示モードに特定する第２のモード判別工程とを有し、前記第２のモード判別工程は、前記複数の候補の中から１つの表示モードを暫定的に選定し、前記記憶部に記憶された当該表示モードの信号情報に基づいてトラッキングを設定するトラッキング設定工程と、前記トラッキング設定に基づいて前記画像信号のサンプリングを行い、当該サンプリング結果に基づいて前記画像信号が表す画像の解像度を導出する解像度導出工程と、前記各候補毎に、前記記憶部に記憶された信号情報を読み出して、前記解像度導出工程により導出された前記解像度と、前記信号情報に基づいた解像度との差を算出する誤差演算工程と、前記誤差演算手段により算出された前記差に基づいて、前記画像信号の表示モードを決定するモード決定工程とを備えたことを特徴とする。
【００３４】
この表示モード判別方法によれば、暫定的に選定した表示モードの信号情報に基づいてトラッキング設定を行い、当該トラッキング設定で画像信号をサンプリングして画像の解像度を導出し、当該解像度と、記憶部に記憶された各候補の信号情報に基づいた解像度との差に基づいて表示モードを決定している。つまり、１回のトラッキング設定で導出した解像度を、複数の候補の解像度と比較することにより表示モードを決定しているため、複数の表示モードでトラッキング設定を行う場合に比べて、トラッキング設定及びこれに伴う時間待機の回数を低減することが可能となる。この結果、モード判別に要する時間を短縮することが可能となる。
【発明を実施するための最良の形態】
【００３５】
以下、本発明の実施形態に係るプロジェクタについて、図面を参照して説明する。本実施形態のプロジェクタは、従来のプロジェクタ（図１参照）と同様の構成を有しているため概略構成の説明は省略し、図１を参照しつつ図３を用いて画像信号のモード判別時の動作について説明する。
図３は、本実施形態のプロジェクタにおける画像信号の表示モードを判別する際の動作を説明するフローチャートである。プロジェクタ１は、画像信号が入力されると、当該フローに基づいて画像信号の表示モードを判別する。
図３に示すように、ステップＳ１１０では、第１のモード判別を行う。具体的には、制御部１０は、入力した画像信号に含まれる水平同期信号Ｈｓｙｎｃ及び垂直同期信号Ｖｓｙｎｃに基づいて、画像信号の水平周波数、垂直ライン数、各同期信号の極性等を検出する。制御部１０は、記憶部１１に記憶されているモードテーブル１１ａ（図２参照）を参照して、前記検出結果と一致又は近似する信号情報を有する表示モードを選定する。
【００３６】
ステップＳ１２０では、第２のモード判別を要するか否かを判断する。既に第１のモード判別で表示モードが１つに特定され、さらなる判別の必要がなければ処理を終了し、複数の候補が存在し第２のモード判別を要する場合には、ステップＳ１３０に移行する。
【００３７】
ステップＳ１３０では、制御部１０は、複数の候補の中から暫定的に１つの表示モードを選定し、モードテーブル１１ａから当該表示モードのトラッキング値を読み出して、ＰＬＬ回路１２に設定する。これにより、ＰＬＬ回路１２は、設定されたトラッキング値に応じたクロック信号を画像処理部１３に出力する。
【００３８】
制御部１０は、ステップＳ１４０にて、ＰＬＬ回路１２が安定するまで所定時間（例えば、１００ｍｓ）待機した後、ステップＳ１５０にて、ＰＬＬ回路１２がロックしているか否かを判断する。ＰＬＬ回路１２がロックしていればステップＳ１６０に移行し、ロックしていなければステップＳ１７０に移行して当該画像信号は対応不能であると判断して処理を終了する。
【００３９】
ステップＳ１６０に移行した場合には、制御部１０は、画像信号が表す画像の解像度を導出する。具体的には、画像処理部１３がトラッキング設定された周期で画像信号をサンプリングするとともに、サンプリングした画像データに基づいて、画像情報が含まれない期間であるＨＢＩ（Horizontal Blanking Interval：水平帰線消去期間）を検出し、制御部１０に出力する。制御部１０は、前記ステップＳ１１０で検出した水平周波数と当該ＨＢＩとから水平方向の解像度を算出する。
【００４０】
ステップＳ１８０では、制御部１０は、前記ステップＳ１３０で暫定的に選定した表示モードの水平解像度をモードテーブル１１ａから読み出して、前記ステップＳ１６０で導出した解像度との差を導く。
【００４１】
ステップＳ１９０では、制御部１０は、他の候補の水平解像度をモードテーブル１１ａから読み出して、当該水平解像度を、暫定的に選定した表示モードのトラッキング値に対する解像度に換算した値と、前記ステップＳ１６０で導出した解像度との差を導く。
【００４２】
ステップＳ２００では、全ての候補について前記ステップＳ１９０を実施したか否かを判断する。未実施の候補が残っていればステップＳ１９０に戻って、残る候補中から１つの候補を選定して上記フローを繰り返し、すべての候補について上記処理が完了していればステップＳ２１０に移行する。
【００４３】
ステップＳ２１０では、前記ステップＳ１６０で導出した解像度と、各候補のモードテーブル１１ａ上の解像度との差が最も小さいものを、当該画像信号の表示モードであると決定して、モード判別処理を終了する。
【００４４】
ここで、上記フローに従ったモード判別動作を、表示モードがＭＡＣ＿１２ｃｅである画像信号が入力された場合を例に説明する。
【００４５】
まず、ステップＳ１１０にて、第１のモード判別を行った結果、当該画像信号の表示モードがＭＡＣ＿１２ｃ又はＭＡＣ＿１２ｃｅのいずれかであることが判別される。ステップＳ１２０では、表示モードの候補として複数（２つ）存在しているため、ステップＳ１３０に移行する。
【００４６】
ステップＳ１３０では、候補の表示モードのいずれか一方（ここでは、ＭＡＣ＿１２ｃとする。）を暫定的に選定してトラッキング設定を行う。モードテーブル１１ａによるとＭＡＣ＿１２ｃのトラッキング値は６４０であるため、ＰＬＬ回路１２によって１水平走査期間に６４０のクロックを発するクロック信号を生成する。その後、ステップＳ１４０にて１００ｍｓ待機してＰＬＬ回路１２が安定した後、ステップＳ１５０にてＰＬＬ回路１２がロックしていれば、ステップＳ１６０に移行する。
【００４７】
ステップＳ１６０では、トラッキング値６４０で画像信号のサンプリングを行ってＨＢＩ（具体的には、ＨＢＩ内のクロック数）を検出した後に、水平解像度を算出する。実際の表示モードであるＭＡＣ＿１２ｃｅは、トラッキング値が７０４で、水平解像度が５６０であり、１水平走査期間に占めるＨＢＩの割合は、（７０４−５６０）／７０４であるため、この画像信号を、設定したトラッキング値６４０でサンプリングすると、ＨＢＩとして、おおよそ６４０×（７０４−５６０）／７０４≒１３１のクロックが検出される。制御部１０は、トラッキング値（６４０）とＨＢＩ（クロック数：１３１）とから水平解像度として６４０−１３１＝５０９を算出する。
【００４８】
ステップＳ１８０では、導出した水平解像度（５０９）と、暫定的に選出したＭＡＣ＿１２ｃのモードテーブル１１ａ上の水平解像度（５１２）とから、その差（３）を算出する。
【００４９】
ステップＳ１９０では、他の候補のモードテーブル１１ａ上の解像度を、前記ステップＳ１３０で選定した表示モードのトラッキング値に対する解像度に換算した値と、ステップＳ１６０で導出した解像度との差を算出する。即ち、他の候補（ＭＡＣ＿１２ｃｅ）のモードテーブル１１ａ上のトラッキング値及び水平解像度は、それぞれ７０４、５６０であり、このトラッキング値（７０４）に対する水平解像度（５６０）を、ステップＳ１３０で選定した表示モード（ＭＡＣ＿１２ｃ）のトラッキング値（６４０）に対する解像度に換算すると、５６０×６４０／７０４≒５０９が得られる。この結果、当該換算値（５０９）と、ステップＳ１６０で導出した解像度（５０９）との差として０が導かれる。
【００５０】
ステップＳ２００では、２つの候補について差の算出が完了したため、ステップＳ２１０に移行し、ステップＳ２１０では、前記ステップＳ１８０及びステップＳ１９０で算出した２つの差（３及び０）を比較し、差が最も小さい値（０）となる表示モード（ＭＡＣ＿１２ｃｅ）を当該画像信号の表示モードとして決定する。
【００５１】
以上説明したように、本実施形態のプロジェクタ１及びその表示モード判別方法によれば、以下の効果を得ることができる。
本実施形態のプロジェクタ１及びその表示モード判別方法によれば、１回のトラッキング設定で導出した解像度を、複数の候補の解像度と比較することにより表示モードを決定しているため、複数の表示モードでトラッキング設定を行う場合に比べて、トラッキング設定及びこれに伴う時間待機（１００ｍｓ）の回数を低減することが可能となる。この結果、モード判別に要する時間を短縮することが可能となる。
【００５２】
なお、上述したように本実施形態では、制御部１０が、画像信号に含まれる同期信号に基づいて、画像信号の表示モードを１つ或いは複数の候補に絞り込む第１のモード判別手段に相当する。
また、制御部１０は、各候補毎に、記憶部に記憶された信号情報に基づいた解像度と、解像度導出手段により導出された解像度との差を算出する誤差演算手段、及び、誤差演算手段により算出された差に基づいて、画像信号の表示モードを決定するモード決定手段に相当し、制御部１０及びＰＬＬ回路１２は、前記複数の候補の中から１つの表示モードを暫定的に選定し、前記記憶部に記憶された当該表示モードの信号情報に基づいてトラッキングを設定するトラッキング設定手段に相当する。さらに、画像処理部１３及び制御部１０は、トラッキング設定に基づいて前記画像信号のサンプリングを行い、当該サンプリング結果に基づいて前記画像信号が表す画像の解像度を導出する解像度導出手段に相当する。従って、制御部１０、ＰＬＬ回路１２、画像処理部１３が第２のモード判別手段に相当する。
【００５３】
（変形例）
なお、本発明の実施形態は、以下のように変更してもよい。
・候補となる複数の表示モードのトラッキング値及び水平解像度が同一で、垂直解像度が異なる場合には、サンプリングした画像データに基づいてＶＢＩ（Vertical Blanking Interval：垂直帰線消去期間）を検出し、前記ステップＳ１１０（第１のモード判別）で検出した垂直ライン数と当該ＶＢＩとから垂直方向の解像度を算出して、モードテーブル１１ａの垂直解像度と比較すればよい。
【図面の簡単な説明】
【００５４】
【図１】従来、及び本発明の実施形態に係るプロジェクタの概略構成を示すブロック図。
【図２】プロジェクタが記憶するモードテーブルを示す説明図。
【図３】本実施形態のプロジェクタにおける画像信号の表示モードを判別する際の動作を説明するフローチャート。
【図４】従来のプロジェクタにおける画像信号の表示モードを判別する際の動作を説明するフローチャート。
【符号の説明】
【００５５】
１…プロジェクタ、１０…制御部、１１…記憶部、１１ａ…モードテーブル、１２…ＰＬＬ回路、１３…画像処理部、１４…画像メモリ、１５…画像投写部。
【図１】
2006234873.tif 000003
【図２】
2006234873.tif 000004
【図３】
2006234873.tif 000005
【図４】
2006234873.tif 000006